(57)【要約】【課題】子機側で特別な操作をすることなく親機側でのチャンネル変更に子機が追従でき、それにより混信の少ない通信を行うことの可能なデジタル式携帯無線システムを提供すること。【解決手段】親機及び子機のメモリに予め定めた共通の識別コードを格納し、親機が、予め定めたチャンネルの周波数を用いて上記識別コード及び音声データを含んだ通信電文を送信し、子機が、メモリに格納された上記識別コードと一致するコードを含んだ通信電文を受信した場合にはその通信電文に含まれる音声データを再生し、メモリに格納された上記識別コードと一致するコードを含んだ通信電文を受信できなかった場合にはメモリに格納された上記識別コードと一致するコードを含んだ通信電文を受信するまでチャンネルスキャンを繰り返すデジタル式携帯無線システムを用いる。【選択図】図１
2017108361.tif 000002
【特許請求の範囲】
【請求項１】
送話機能を備えた親機と受話機能を備えた子機とからなり、周波数の異なる複数のチャンネルの中から通信のためのチャンネルを特定して用いる、利用者のための案内放送を行うためのデジタル式携帯無線システムであって、
前記親機及び前記子機のメモリには予め定めた共通の識別コードが格納され、
前記親機が、予め定めたチャンネルの周波数を用いて前記識別コード及び音声データを含んだ通信電文を送信し、
前記子機が、メモリに格納された前記識別コードと一致するコードを含んだ通信電文を受信した場合にはその通信電文に含まれる音声データを再生し、メモリに格納された前記識別コードと一致するコードを含んだ通信電文を受信できなかった場合にはメモリに格納された前記識別コードと一致するコードを含んだ通信電文を受信するまでチャンネルスキャンを繰り返すことを特徴とするデジタル式携帯無線システム。
【請求項２】
前記識別コードが、前記親機にて発生させた乱数により決定されたものであることを特徴とする請求項１記載のデジタル式携帯無線システム。
【請求項３】
前記親機及び前記子機がそれぞれ所定の操作を行われることにより、前記親機がメモリに格納された識別コードを前記子機へと送信し、この識別コードを受信した子機がその識別コードをメモリに格納する、ペアリングモードに移行することを特徴とする請求項１又は２記載のデジタル式携帯無線システム。
【請求項４】
前記ペアリングモードにおける通信が、通話に用いるのとは異なる専用チャンネルで行われることを特徴とする請求項３記載のデジタル式携帯無線システム。
【請求項５】
前記ペアリングモードにおける前記親機の送信出力が、前記ペアリングモードでないときの送信出力よりも小さいことを特徴とする請求項３又は４記載のデジタル式携帯無線システム。
【発明の詳細な説明】
【技術分野】
【０００１】
本発明は、デジタル式携帯無線システムに関するものであり、より詳しくは、送話機能を備えた親機と、受話機能を備えた子機とからなり、利用者のための案内放送を行うための携帯無線システムに関する。
【背景技術】
【０００２】
観光案内や観劇解説のガイド用機器として無線ガイドシステムがある。このシステムでは、送話機能を備えた親機と、受話機能を備えた子機とからなる携帯無線システムが用いられ、観光案内を例にとると、観光案内人等の解説者が親機に備えられたマイクに向かって話しかけた内容が、子機に備えられた耳掛け式イヤホン等の受話装置を通して観光客に届けられる仕組みとなっている。こうした無線ガイドシステムでは、約８０〜１２０ｍの広いエリアをカバーでき複数の通信路（チャンネル）を切り替えて運用することが可能である。
【０００３】
こうした携帯無線システムの運用において、日本国内では、特定小電力ラジオマイク用として割り当てられた８０６．１２５ＭＨｚ〜８０９．７５０ＭＨｚの周波数帯を用いることができる。そして、異なるグループ間における互いの通信の混信を避けるために、この周波数帯を複数チャンネルに分割して用いる運用がなされている。この周波数帯では、１２５ｋＨｚ間隔でチャンネルが設定されており最大３０チャンネルに分割することができるとされる。
【０００４】
実際の観光案内現場においては、どのチャンネルを用いて通信を行うか等の通信条件の整合を親機と子機との間で予め行っておくのが一般的である。そして、このときに設定されるチャンネルとしては、他の案内業者等が用いていない、空いているチャンネルが選択される。異なるグループ間で同じチャンネルが設定された状態でこうした無線ガイドシステムが運用されると、親機から送信された送話内容が、意図しないグループの子機に受信されてしまう混信を生じるためである。
【０００５】
しかしながら、特に著名な観光名所などでは、多くのグループが無線ガイドシステムを用いることになるので、ある程度の混信は避けられない場面もある。このような場面の一つとして考えられるのが、親機と子機との間で設定したチャンネルを用いて初めのうちは問題無く無線ガイドシステムを用いることができていたものの、途中から別の団体が同じチャンネル又は干渉を生じ得るチャンネルを用いて無線ガイドシステムを使用し始めたことにより、電波状態が悪くなることである。この場合、親機及び子機に設定されたチャンネルを別のものに変えれば問題を解消できると考えられるが、子機を持っているのは操作に不慣れな観光客なので、そのような対策も容易なことではない。
【０００６】
特定小電力ラジオマイク機器に関するものではないが、例えば特許文献１には、電源ＯＮにした時に、通信のために用いる周波数に関する情報を送信機側から受信機側へ微弱電波により送信し、その後、その周波数にて無線通信を行うことを特徴とする模型用無線操縦システムが提案されている。このような仕組みを用いれば、変更後の新たなチャンネル情報を親機から子機へ送信させ、それを受信した子機が、得られたチャンネル情報に基づいてチャンネルを変更することができる。しかしながら、これを特定省電力ラジオマイク機器に当てはめたとしても、そうしたチャンネル情報を受信できる状態にするために、観光客が子機に対して何らかの操作を行う必要があることには変わりない。
【先行技術文献】
【特許文献】
【０００７】
【特許文献１】特開２００５−２１８５５２号公報
【発明の概要】
【発明が解決しようとする課題】
【０００８】
本発明は、以上の状況に鑑みてなされたものであり、子機側で特別な操作をすることなく親機側でのチャンネル変更に子機が追従でき、それにより混信の少ない通信を行うことの可能なデジタル式携帯無線システムを提供することを目的とする。
【課題を解決するための手段】
【０００９】
本発明者は、上記の課題を解決するために鋭意検討を重ねた結果、デジタル式の携帯無線システムにおいて、親機及び子機のメモリに予め定めた共通の識別コードを格納させ、親機が、任意のチャンネルの周波数を用いてこの識別コード及び音声データを含んだ通信電文を送信し、子機が、メモリに格納された識別コードと一致するコードを含んだ通信電文を受信した場合にはその通信電文に含まれる音声データを再生し、メモリに格納された上記識別コードと一致するコードを含まない通信電文を受信した場合にはその通信電文を破棄し、メモリに格納された識別コードと一致するコードを含んだ通信電文を受信するまでチャンネルスキャンを繰り返すように構成することにより上記の課題を解決できることを見出し、本発明を完成するに至った。本発明によれば、以下のようなものが提供される。
【００１０】
本発明は、送話機能を備えた親機と受話機能を備えた子機とからなり、周波数の異なる複数のチャンネルの中から通信のためのチャンネルを特定して用いる、利用者のための案内放送を行うためのデジタル式携帯無線システムであって、上記親機及び上記子機のメモリには予め定めた共通の識別コードが格納され、上記親機が、予め定めたチャンネルの周波数を用いて上記識別コード及び音声データを含んだ通信電文を送信し、上記子機が、メモリに格納された上記識別コードと一致するコードを含んだ通信電文を受信した場合にはその通信電文に含まれる音声データを再生し、メモリに格納された上記識別コードと一致するコードを含んだ通信電文を受信できなかった場合にはメモリに格納された上記識別コードと一致するコードを含んだ通信電文を受信するまでチャンネルスキャンを繰り返すことを特徴とするデジタル式携帯無線システムである。
【００１１】
上記識別コードは、上記親機にて発生させた乱数により決定されたものであることが好ましい。
【００１２】
上記親機及び上記子機がそれぞれ所定の操作を行われることにより、上記親機がメモリに格納された識別コードを上記子機へと送信し、この識別コードを受信した子機がその識別コードをメモリに格納する、ペアリングモードに移行することが好ましい。
【００１３】
上記ペアリングモードにおける通信は、通話に用いるのとは異なる専用チャンネルで行われることが好ましい。
【００１４】
上記ペアリングモードにおける上記親機の送信出力は、上記ペアリングモードでないときの送信出力よりも小さいことが好ましい。
【発明の効果】
【００１５】
本発明によれば、子機側で特別な操作をすることなく親機側でのチャンネル変更に子機が追従でき、それにより混信の少ない通信を行うことの可能なデジタル式携帯無線システムが提供される。
【図面の簡単な説明】
【００１６】
【図１】図１は、本通信モードにおける子機のチャンネル追従動作を示すフロー図である。
【図２】図２（ａ）は、親機において識別コードを決定する手順を示すフロー図であり、図２（ｂ）は、ペアリングモードにおける親機の動作を示すフロー図である。
【図３】図３は、ペアリングモードにおける子機の動作を示すフロー図である。
【発明を実施するための形態】
【００１７】
以下、本発明のデジタル式携帯無線システム（以下、単に無線システムとも呼ぶ。）の一実施形態について説明する。
【００１８】
本実施形態の無線システムは、主として観光等のガイド用機器として用いられ、送話を行う親機と、受話を行う子機とからなり、案内を行うガイド役が親機に備えられたマイクに向かって話しかけると、観光客等が持つ子機のスピーカーやイヤホン（以下、これらをまとめてオーディオと呼ぶ。）からその話しかけた内容が再生される装置である。通常、この種の無線機器では、使用が許可された周波数帯を複数のチャンネルに分割し、そのうちのいずれかのチャンネルを用いて通信を行う。日本国内においてこの種の無線機器に許可された周波数帯の一つである、特定小電力ラジオマイク向けの８０６．１２５ＭＨｚ〜８０９．７５０ＭＨｚの周波数帯を例にとると、１２５ｋＨｚ間隔で３０チャンネルに分割されて用いられている。しかしながら、実際の運用では５〜１０チャンネル程度の割り当てで用いるのが好ましいとされ、これらのチャンネルの中からいずれかを選択して用いることができるようになっている。
【００１９】
この種の無線機器では、通常、親機と子機との間では同じチャンネルが設定されており、親機が送信を行う周波数と子機が受信を行う周波数とを整合させて運用される。チャンネルが異なるグループ間では通信に用いる周波数が異なるため、これらのグループ間では混信を生じることはない。しかしながら、たまたま同じチャンネルを用いるグループが複数あった場合にはこれらのグループ間で混信を生じることになるので、そのような場合にはいずれかのグループが使用するチャンネルを変更することで、混信を回避する必要がある。そのようなチャンネル変更操作は親機及び子機の両方で行う必要があるので、特に観光等のガイド用機器の場合には、操作を熟知しない観光客にチャンネル変更操作を求める場面も想定され、問題が多い。なお、以下の説明において、親機とは何らかの情報（すなわち通信電文）を電波で送信する機器を指し、子機とは親機（自グループのものとは限らない。）から送信された電波に含まれる情報（すなわち通信電文）を受信する機器を指すものとする。
【００２０】
本実施形態の無線システムは、デジタル式であり、親機のマイクから入力された数ミリ秒分の音声信号をデジタル変換して６４バイトの無線フレーム（すなわち通信電文）を生成し、この通信電文を予め設定されたチャンネルの周波数を用いて親機から子機へと送信する。この６４バイトの通信電文には、音声データの他に、プリアンブル、識別コード及びＣＲＣが含まれる。本発明の無線システムでは、通信電文の中に識別コードを含むのがポイントである。
【００２１】
通常、この種の無線装置では、複数のチャンネルの中から特定の同じチャンネルを親機と子機との間で設定するという方法で、自グループと他のグループとを識別する。しかしながら、この方法ではチャンネル数が限られるし、上述のようにチャンネルを変更したい場合に子機側での操作を必要とする。そもそも、そのようなチャンネル変更を強いられるのは、チャンネル数が限られているために他のグループと同じチャンネルを用いてしまうことも一因である。そこで、本実施形態の無線システムでは、自グループと他のグループとの識別のために４バイト（２３２通り）の識別コードを用いる。しかしながら、いくら識別コードを用いて自グループと他グループとを識別するとはいっても、自グループと他グループとの間で使用するチャンネルが重なれば通信状態は悪くなる。本実施形態の無線システムはそのような場合であっても、親機側でチャンネル設定を変更するだけで子機がそのチャンネルに自動的に追従するという特徴を備える。
【００２２】
本実施形態の無線システムは、上記のように、送話機能を備えた親機と受話機能を備えた子機とからなり、周波数の異なる複数のチャンネルの中から通信のためのチャンネルを特定して用いる、利用者のための案内放送を行うためのデジタル式携帯無線システムである。まずは、上記のように子機が親機側でのチャンネル変更に追従して受信を行う仕組みについて図面を参照しながら説明する。図１は、本通信モードにおける子機のチャンネル追従動作を示すフロー図である。
【００２３】
本実施形態の無線システムは、送話及び受話を行う本通信モードと、識別コードやその他の通信条件を親機と子機との間で整合させるためのペアリングモードとを備える。ペアリングモードについては後述するが、このペアリングモードを経ることにより、本通信モードでは親機及び子機のメモリに共通の識別コードが格納された状態となっている。
【００２４】
本通信モードにおいて、子機は、現在設定されているチャンネルにて親機からの通信電文（すなわち無線フレーム）の受信を試みる。もし、現在設定されたチャンネルにて親機からの通信電文が受信できない場合、子機に設定されたチャンネル情報が親機と異なるものと判断して、利用可能なチャンネルを順次スキャンして親機からの通信電文を受信できるチャンネルを探す動作を行う。つまり、親機からの通信電文が受信できない場合、子機は、利用可能なチャンネルをスキャンし続けることになる。この状態において、子機は、オーディオがオフの状態、すなわち音声が出力されない状態となっている。
【００２５】
親機からの通信電文を受信できた場合、子機は、その通信電文に含まれる識別コードを取り出す。本実施形態における通信電文は、プリアンブル１６ビット＋識別コード４バイト＋音声データ５７バイト＋ＣＲＣ１バイトの６４バイトで構成されているので、子機は、受信した識別コードにおいてプリアンブルの後の４バイトを識別コードとして抜き出して、この識別コードとメモリに格納された識別コードとを比較する。
【００２６】
受信した識別コードと子機のメモリに格納された識別コードが一致しなかった場合、受信した通信電文は他グループの親機から送信されたものということになる。このため、子機は、受信した通信電文を破棄し、チャンネルスキャンを行って親機からの通信電文の受信を試みる。この状態においても、子機は、オーディオがオフの状態、すなわち音声が出力されない状態になっているので、破棄された通信電文に含まれている音声データがオーディオから出力されることはない。以上の動作の結果、子機は、メモリに格納された識別コードと一致するコードを含んだ通信電文を受信するまで、オーディオがオフの状態のまま、チャンネルスキャンを繰り返すことになる。
【００２７】
一方、受信した識別コードと子機のメモリに格納された識別コードが一致した場合、受信した通信電文は自グループの親機から送信されたものということになる。このため、子機は、オーディオをオンにして、その通信電文に含まれる音声データを再生する。また、現在のチャンネルが親機の使用するチャンネルと一致することになるので、子機は、チャンネルスキャンを停止してそのチャンネルにロックし、自グループの親機からのさらなる通信電文の受信を待機する。
【００２８】
この状態において、子機は、オーディオをオンにしたままで、親機から受信した通信電文に含まれる識別コードがメモリに格納された識別コードと一致する限りにおいて、通信電文を受信し続けてそれらに含まれる音声データを再生し続ける。
【００２９】
そして、親機から受信した通信電文に含まれる識別コードがメモリに格納された識別コードと一致しなくなった場合、又は親機からの通信電文の受信が途絶えた場合には、子機は、オーディオをオフにして、再び、メモリに格納された識別コードと一致する識別コードを含む通信電文を受信するまでチャンネルスキャンを繰り返す動作を行う。
【００３０】
子機が上記のような動作を繰り返すことにより、親機の側でチャンネル変更が行われた場合に、子機は、自動的にチャンネルスキャンを行って自グループの親機が使用するチャンネルを見つけ出して、これに追従する動作を行うことになる。
【００３１】
次に、親機と子機との間で識別コードやその他の通信条件を整合させるペアリングモードについて図２及び図３を参照して説明する。図２（ａ）は、親機において識別コードを決定する手順を示すフロー図であり、図２（ｂ）は、ペアリングモードにおける親機の動作を示すフロー図である。図３は、ペアリングモードにおける子機の動作を示すフロー図である。
【００３２】
本実施形態における無線システムでは、上記の識別コードが親機にて発生させた乱数により決定される。図２（ａ）に示すように、本実施形態における親機は、親機に備えられたファンクションキーを押下しながら電源を投入されると、乱数を発生させ、識別コードを決定する。識別コードは４バイトなので４バイト分の乱数を発生させ、これを識別コードとしてメモリに格納する。その後、親機は、送話を行う本通信モードへと移行する。
【００３３】
上記の手順で親機のメモリに格納された識別コードは、まだ子機と共有されていない。この識別コードを子機に通知するのがペアリングモードである。親機及び子機は、電源が投入された状態において、送話や受話を行う本通信モードへ移行する。この本通信モードにおいて、親機は、ファンクションキーを長押しされるという所定の操作を行われることによりペアリングモードへ移行し、子機も同様に、ファンクションキーを長押しされるという所定の操作を行われることによりペアリングモードへ移行する。
【００３４】
まずは、親機におけるペアリングモードについて説明する（図２（ｂ））。親機は、本通信モードにてファンクションキーを長押しされることでペアリングモードへ移行し、ＬＥＤを点灯させて使用者にペアリングモードへ移行したことを通知する。
【００３５】
ペアリングモードへ移行した親機は、本通信モードでは使用されない、ペアリング専用のペアリングチャンネルの周波数にＰＬＬを設定する。つまり、使用可能な複数のチャンネルのうちの一つをペアリングチャンネルとしてペアリング専用に予約しておき、このチャンネルは本通信モードでは使用せず、ペアリングモードにある場合に限って親機及び子機の間で使用される。本実施形態では、８０６．１２５ＭＨｚのチャンネルを使用してペアリングモードにおける親機及び子機間の通信を行う。
【００３６】
次に親機は、メモリに格納された識別コードを含む初期設定電文を生成する。初期設定電文は、親機と子機との間の通信条件を整合させるための情報が含まれており、これを子機が受信することで、子機は親機との間の通信を行うことができるようになる。初期設定電文には、識別コードの他、親機との通信を行うための各種の条件設定情報や、省電力モード等といった各種のモード設定情報を含めることができる。
【００３７】
初期設定電文の生成を完了した親機は、３０秒間にわたって、ペアリングチャンネルを使用して初期設定電文を繰り返し送信する。初期設定電文を送信するに際して、親機は、本通信モードにおける電波の送信出力よりも小さな送信出力で送信を行う。このようにすることで、初期設定電文を受信することのできる範囲を限定することができるようになり、誤って他グループの子機に自グループの初期設定電文を受信されてしまうことを抑制することができる。
【００３８】
３０秒間にわたる繰り返しの初期設定電文送信が完了すると、親機は、ペアリングモードにあることを示すＬＥＤを消灯させ、本通信モードへと移行する。
【００３９】
次に、子機におけるペアリングモードについて説明する（図３）。子機は、本通信モードにてファンクションキーを長押しされることでペアリングモードへ移行し、ＬＥＤを点灯させて使用者にペアリングモードに移行したことを通知する。
【００４０】
ペアリングモードに移行した子機は、親機と同様に、ペアリング専用のペアリングチャンネルの周波数にＰＬＬを設定する。このペアリングチャンネルの周波数は、上述の親機におけるものと同じである。既に説明したように、このチャンネルはペアリング専用に予約されたものであり、本通信モードでは使用されない。本実施形態では、８０６．１２５ＭＨｚのチャンネルを使用してペアリングモードにおける親機及び子機間の通信を行う。
【００４１】
次に子機は、親機からの初期設定電文の受信を試みる。初期設定電文の受信に成功した場合、子機は、受信した初期設定電文から識別コードを抽出し、それをメモリに格納する。その後子機は、ペアリングモードにあることを示すＬＥＤを消灯させ、本通信モードへと移行する。
【００４２】
親機からの初期設定電文を受信する試みは、最大３０秒間にわたって継続される。３０秒間経過しても初期設定電文を受信できなかった場合は、一定時間ＬＥＤを点滅させて初期設定電文が受信できなかったことを示した後、ＬＥＤを消灯させ、本通信モードへと移行する。
【００４３】
以上がペアリングモードについての説明であるが、通常、ペアリングモードを用いて子機に対して識別コード等を設定するのは観光案内人等であり、子機が利用者の手に渡る前にそれは実行される。よって、子機が利用者の手に渡る時点では、子機のメモリには親機のメモリに格納された識別コードと同じ識別コードが格納されていることになる。このため、子機の利用者は、ペアリングモードの存在を全く意識しないで本実施形態の無線システムを利用することができる。
【００４４】
本実施形態の無線システムは、送話機能を備えた親機と受話機能を備えた子機とからなり、周波数の異なる複数のチャンネルの中から通信のためのチャンネルを特定して用いる、利用者のための案内放送を行うためのデジタル式携帯無線システムであって、これら親機及び子機のメモリには予め定めた共通の識別コードが格納され、親機が、予め定めたチャンネルの周波数を用いて識別コード及び音声データを含んだ通信電文を送信し、子機が、メモリに格納された前記識別コードと一致するコードを含んだ通信電文を受信した場合にはその通信電文に含まれる音声データを再生し、メモリに格納された前記識別コードと一致するコードを含んだ通信電文を受信できなかった場合にはメモリに格納された識別コードと一致するコードを含んだ通信電文を受信するまでチャンネルスキャンを繰り返すことを特徴とする。これにより、この無線システムの運用中に親機において通信に使用するチャンネルを変更しても、子機は親機において新たに設定されたチャンネルに追従して自動的にチャンネル設定を行うことができる。また、子機は、それに設定されたチャンネルが親機と同一であろうとなかろうとも、識別コードによって自グループであることを認識できるので、従来のように限られたチャンネル数をやりくりして自グループ内の通信を行っていた場合と違って、あたかも識別コードのバリエーションの分だけチャンネル数が拡張されたかのような使用感を得ることができる。
【００４５】
また、本実施形態の無線システムは、上記識別コードが親機にて発生させた乱数により決定されたものであることを特徴とする。これにより、識別コードを手入力により設定する手間を省くことができる。
【００４６】
また、本実施形態の無線システムは、親機及び子機がそれぞれ所定の操作を行われることにより、親機がメモリに格納された識別コードを子機へと送信し、この識別コードを受信した子機がその識別コードをメモリに格納する、ペアリングモードに移行することを特徴とする。これにより、所望のタイミングで自動的に親機と子機との間で識別コードが整合されるので、手入力により子機へ親機と同じ識別コードを設定する手間を省くことができるほか、子機での識別コードの入力ミスにより親機との間で通信不能になることを防止することができる。
【００４７】
また、本実施形態の無線システムでは、上記ペアリングモードにおける通信が、通話に用いるのとは異なる専用チャンネルで行われることを特徴とする。これにより、ペアリングモードで使用するチャンネル情報を親機及び子機に入力する手間を省くことができる。
【００４８】
また、本実施形態の無線システムでは、上記ペアリングモードにおける親機の送信出力が、上記ペアリングモードでないときの送信出力よりも小さいことを特徴とする。これにより、初期設定電文を受信することのできる範囲を限定することができるようになり、誤って他グループの子機に自グループの初期設定電文を受信されてしまうことを抑制することができる。
【００４９】
以上、本発明のデジタル式携帯無線システムの一実施形態について説明を行ったが、本発明は以上の実施形態に何ら限定されるものではなく、本発明の範囲において適宜変更を加えて実施することができる。
【００５０】
例えば、上記の実施形態では、親機において乱数を生成させて識別コードを決定したが、任意に決定した識別コードを手入力で入力するようにしてもよい。
【００５１】
また、上記の実施形態では、親機及び子機にてそれぞれ所定の操作をすることでペアリングモードへ移行して両者の間で識別コードの整合を自動的に行ったが、親機及び子機の両方へ共通の識別コードを手入力するようにしてもよい。
【００５２】
また、上記の実施形態では、日本国内において特定省電力ラジオマイク向けの周波数帯である８０６．１２５ＭＨｚ〜８０９．７５０ＭＨｚを用いるものとして説明したが、使用可能な周波数帯は各国毎に異なるので、用いる周波数帯は無線システムを用いる国の制度に応じて適宜決定すればよい。
【図１】
2017108361.tif 000003
【図２】
2017108361.tif 000004
【図３】
2017108361.tif 000005
【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
送話機能を備えた親機と受話機能を備えた子機とからなり、周波数の異なる複数のチャンネルの中から通信のためのチャンネルを特定して用いる、利用者のための案内放送を行うためのデジタル式携帯無線システムであって、
前記親機及び前記子機のメモリには予め定めた共通の識別コードが格納され、
前記親機が、予め定めたチャンネルの周波数を用いて前記識別コード及び音声データを含んだ通信電文を送信し、
前記子機が、メモリに格納された前記識別コードと一致するコードを含んだ通信電文を受信した場合にはその通信電文に含まれる音声データを再生し、メモリに格納された前記識別コードと一致するコードを含んだ通信電文を受信できなかった場合にはメモリに格納された前記識別コードと一致するコードを含んだ通信電文を受信するまでチャンネルスキャンを繰り返すことにより、親機の側でチャンネル変更が行われた場合に子機側で特別な操作をすることなく子機がこれに追従することを特徴とするデジタル式携帯無線システム。
【請求項２】
前記識別コードが、前記親機にて発生させた乱数により決定されたものであることを特徴とする請求項１記載のデジタル式携帯無線システム。
【請求項３】
前記親機及び前記子機がそれぞれ所定の操作を行われることにより、前記親機がメモリに格納された識別コードを前記子機へと送信し、この識別コードを受信した子機がその識別コードをメモリに格納する、ペアリングモードに移行することを特徴とする請求項１又は２記載のデジタル式携帯無線システム。
【請求項４】
前記ペアリングモードにおける通信が、通話に用いるのとは異なる専用チャンネルで行われることを特徴とする請求項３記載のデジタル式携帯無線システム。
【請求項５】
前記ペアリングモードにおける前記親機の送信出力が、前記ペアリングモードでないときの送信出力よりも小さいことを特徴とする請求項３又は４記載のデジタル式携帯無線システム。
【手続補正２】
【補正対象書類名】明細書
【補正対象項目名】００１０
【補正方法】変更
【補正の内容】
【００１０】
本発明は、送話機能を備えた親機と受話機能を備えた子機とからなり、周波数の異なる複数のチャンネルの中から通信のためのチャンネルを特定して用いる、利用者のための案内放送を行うためのデジタル式携帯無線システムであって、上記親機及び上記子機のメモリには予め定めた共通の識別コードが格納され、上記親機が、予め定めたチャンネルの周波数を用いて上記識別コード及び音声データを含んだ通信電文を送信し、上記子機が、メモリに格納された上記識別コードと一致するコードを含んだ通信電文を受信した場合にはその通信電文に含まれる音声データを再生し、メモリに格納された上記識別コードと一致するコードを含んだ通信電文を受信できなかった場合にはメモリに格納された上記識別コードと一致するコードを含んだ通信電文を受信するまでチャンネルスキャンを繰り返すことにより、親機の側でチャンネル変更が行われた場合に子機側で特別な操作をすることなく子機がこれに追従することを特徴とするデジタル式携帯無線システムである。